(57)【要約】【課題】植物栽培床材の収容容器や植栽容器の外側部を装飾用容器で覆う際に隙間が生じている場合においても、インテリアとしての実用的価値や装飾的価値の高い植栽装置及び植栽容器を提供すること。【解決手段】植物栽培床材３の収容容器２を収容してその外側部を覆う植栽装置１であって、収容容器２を受けて前記植物栽培床材３に供給する水を貯水可能な貯水部５を備えた植栽容器４と、植栽容器４を収容する装飾用容器１１とを設け、貯水部５と装飾用容器の内面１１ａとの間の空間を装飾用容器１１の高さ方向に遮断可能な遮蔽部６を、植栽容器４の周部に設け、貯水部の底部５ａよりも高位置に遮蔽部６を配置してある植栽装置。【選択図】図２
2008061533.tif 000002
【特許請求の範囲】
【請求項１】
植物栽培床材の収容容器を収容してその外側部を覆う植栽装置であって、
前記収容容器を受けて前記植物栽培床材に供給する水を貯水可能な貯水部を備えた植栽容器と、前記植栽容器を収容する装飾用容器とを設け、前記貯水部と前記装飾用容器の内面との間の空間を前記装飾用容器の高さ方向に遮断可能な遮蔽部を、前記植栽容器の周部に設け、前記貯水部の底部よりも高位置に前記遮蔽部を配置してある植栽装置。
【請求項２】
装飾用容器に収容可能な植栽容器であって、
植物栽培床材の収容容器を受けて前記植物栽培床材に供給する水を貯水可能な貯水部を備えており、前記装飾用容器に収容した際、前記貯水部と前記装飾用容器の内面との間の空間を前記装飾用容器の高さ方向に遮断可能な遮蔽部を周部に設け、前記貯水部の底部よりも高位置に前記遮蔽部を配置してある植栽容器。
【請求項３】
前記遮蔽部と前記貯水部とを仕切る第１立上げ壁を、前記遮蔽部の内側で全周にわたって前記遮蔽部から立設してある請求項２に記載の植栽容器。
【請求項４】
前記第１立上げ壁に、通水孔が設けられている請求項３に記載の植栽容器。
【請求項５】
前記遮蔽部が、その外周部側ほど前記通水孔の下方から立ち上がる傾斜を有する請求項４に記載の植栽容器。
【請求項６】
前記遮蔽部の外周端部を全周にわたって取り囲む第２立上げ壁を、前記遮蔽部から立設してある請求項４又は５のいずれか１項に記載の植栽容器。
【請求項７】
前記遮蔽部又は前記第２立上げ壁に、前記通水孔よりも高位置にオーバーフロー孔が設けられている請求項６に記載の植栽容器。
【発明の詳細な説明】
【技術分野】
【０００１】
本発明は、植物栽培床材の収容容器を収容してその外側部を覆う植栽装置、並びに装飾用容器に収容可能な植栽容器に関する。
【背景技術】
【０００２】
例えば、観葉植物等を植え込んである植木鉢やプランター等（収容容器）の外側部を、適当な装飾を施した容器（装飾用容器：例えば、市販の鉢カバー等）で覆うことによって、その観葉植物のインテリアとしての価値をさらに高めた植栽装置が市販されている。また、そのような収容容器の受け皿となる植栽容器を、適当な装飾を施した容器に収容することによって、植栽容器に植えられた植物のインテリアとしての価値を高めることも従来から行われている。
尚、この様な従来技術に関しては、当業者の間で広く知られているものであり、詳しく言及した特許文献などが無いため、先行技術文献を開示できない。
【発明の開示】
【発明が解決しようとする課題】
【０００３】
しかしながら、収容容器の外側部と、その収容容器の外側部を覆う装飾用容器の内面との間（又は、植栽容器の外側部と、その植栽容器を収容した装飾用容器の内面との間）に隙間が存在すると、見映えがあまり良くなく、また植物の葉や花がら等がその隙間に落下して装飾用容器内に溜まり掃除が不便となるといった不都合が生じているにも関わらず、そうした隙間に工夫を施し、植栽装置や植栽容器のインテリアとしての実用的価値や装飾的価値を高めることについては、これまで検討されていなかった。
本発明は、上記実情に鑑みてなされたものであって、植物栽培床材の収容容器や植栽容器の外側部を装飾用容器で覆う際に隙間が生じている場合においても、インテリアとしての実用的価値や装飾的価値の高い植栽装置及び植栽容器を提供するものである。
【課題を解決するための手段】
【０００４】
本発明の第１特徴構成は、植物栽培床材の収容容器を収容してその外側部を覆う植栽装置であって、前記収容容器を受けて前記植物栽培床材に供給する水を貯水可能な貯水部を備えた植栽容器と、前記植栽容器を収容する装飾用容器とを設け、前記貯水部と前記装飾用容器の内面との間の空間を前記装飾用容器の高さ方向に遮断可能な遮蔽部を、前記植栽容器の周部に設け、前記貯水部の底部よりも高位置に前記遮蔽部を配置してある植栽装置である点にある。
【０００５】
〔作用及び効果〕
本発明の植栽装置によれば、植物栽培床材の収容容器を受けて、植物栽培床材に供給する水を貯水可能な貯水部を備えた植栽容器が設けられているため、例えば、適当な植物を植え込んである鉢等をその植栽容器に収容し得ると共に、貯水部に蓄えられている水が植物に随時供給され得るので、水遣りを頻繁に行わなくとも植物を栽培することができる。
さらに、前記植栽容器を収容する装飾用容器を設けているので、装飾の施された装飾用容器を使用することによって、植栽装置を含む植物全体の外見上の見映えをさらに高めることができる。
その上、貯水部と装飾用容器の内面との間の空間をその装飾用容器の高さ方向に遮断可能な遮蔽部を植栽容器の周部に設けてあるので、遮蔽部が、貯水部と装飾用容器の内面との間に生じる隙間（以下、隙間空間と称する）を塞ぎ得、植物の葉や花がら等が隙間空間に落下して装飾用容器内に溜まり掃除が不便になるのを防止し得ると共に、遮蔽部に適当な装飾材を載置することによって、植栽装置の見映えを良くすることもできる。
しかも、遮蔽部が、貯水部の補強部材として機能する結果、貯水部の肉厚を薄くすることが可能であり、さらに、遮蔽部と貯水部とを一体にして構成すると、貯水部の剛性が高まり、最小限の補強で貯水部の強度を高めることができる。
【０００６】
本発明の第２特徴構成は、装飾用容器に収容可能な植栽容器であって、植物栽培床材の収容容器を受けて前記植物栽培床材に供給する水を貯水可能な貯水部を備えており、前記装飾用容器に収容した際、前記貯水部と前記装飾用容器の内面との間の空間を前記装飾用容器の高さ方向に遮断可能な遮蔽部を周部に設け、前記貯水部の底部よりも高位置に前記遮蔽部を配置してある植栽容器である点にある。
【０００７】
〔作用及び効果〕
本発明の植栽容器によれば、植物栽培床材の収容容器を受けて、植物栽培床材に供給する水を貯水可能な貯水部を備えているため、例えば、適当な植物を植え込んである鉢等を収容し得ると共に、貯水部に蓄えられている水が植物に随時供給され得るので、水遣りを頻繁に行わなくとも植物を栽培することができる。
さらに、本発明の植栽容器を装飾用容器に収容した際、貯水部と装飾用容器の内面との間の空間をその装飾用容器の高さ方向に遮断可能な遮蔽部を、本発明の植栽容器の周部に設けてあるので、遮蔽部が、貯水部と装飾用容器の内面との間に生じる隙間（以下、隙間空間と称する）を塞ぎ得、植物の葉や花がら等が隙間空間に落下して装飾用容器内に溜まり掃除が不便になるのを防止し得ると共に、遮蔽部に適当な装飾材を載置することによって、植栽容器の見映えを良くすることもできる。
しかも、遮蔽部が、貯水部の剛性を高める結果、貯水部の肉厚を薄くすることが可能であり、最小限の補強で貯水部の強度を高めることができる。
【０００８】
本発明の第３特徴構成は、前記遮蔽部と前記貯水部とを仕切る第１立上げ壁を、前記遮蔽部の内側で全周にわたって前記遮蔽部から立設してある点にある。
〔作用及び効果〕
遮蔽部と貯水部とを仕切る第１立上げ壁を、遮蔽部の内側で全周にわたって遮蔽部から立設してあるので、遮蔽部に載置されている装飾材の貯水部への落下を防止することができる。
【０００９】
本発明の第４特徴構成は、前記第１立上げ壁に、通水孔が設けられている点にある。
〔作用及び効果〕
第１立上げ壁に、通水孔が設けられているので、貯水部に水を供給する際、遮蔽部に水を供給することによって、貯水部に水を補給することが可能となる。そのため、植物が大きく生長して葉が周囲に張り出し、直接貯水部に水を補給することが難しくなっているような場合においても、遮蔽部を介して容易に貯水部に水を補給することができる。
【００１０】
本発明の第５特徴構成は、前記遮蔽部が、その外周部側ほど前記通水孔の下方から立ち上がる傾斜を有する点にある。
〔作用及び効果〕
遮蔽部が、その外周部側ほど通水孔の下方から立ち上がる傾斜を有するので、遮蔽部に水を供給する際、第１立上げ壁に設けられている通水孔に水が導入され易くなり、遮蔽部からこぼれ難い。
【００１１】
本発明の第６特徴構成は、前記遮蔽部の外周端部を全周にわたって取り囲む第２立上げ壁を、前記遮蔽部から立設してある点にある。
〔作用及び効果〕
遮蔽部の外周端部を全周にわたって取り囲む第２立上げ壁を、遮蔽部から立設してあるので、貯水部に水を補給する際、遮蔽部に供給された水が、遮蔽部の外周からこぼれ落ちるのを確実に防止することができる。
【００１２】
本発明の第７特徴構成は、前記遮蔽部又は前記第２立上げ壁に、前記通水孔よりも高位置にオーバーフロー孔が設けられている点にある。
〔作用及び効果〕
遮蔽部又は第２立上げ壁に、通水孔よりも高位置にオーバーフロー孔が設けられているので、仮に、貯水部に過剰に水が補給されたとしても、オーバーフロー孔からオーバーフローさせることによって貯水部の水位を一定に保つことができる。
【発明を実施するための最良の形態】
【００１３】
以下に本発明の実施の形態を図面に基づいて説明する。
〔実施形態〕
図１〜図３に、本発明の一実施形態を示す。
本実施形態における植栽装置１は、貯水部５（植物栽培床材３の収容容器２を受けて、植物栽培床材３に供給する水を貯水可能）と遮蔽部６（装飾材１４を載置可能なフランジ状の板材）とを有する植栽容器４、及び前記植栽容器４を収容してその外側部を覆い得る装飾用容器１１を備えている。
図１及び図２に示されるように、本実施形態における植栽装置１は、植物栽培床材３を収容した収容容器２を、貯水部５に貯留した水Ｗ上に浮揚させ、その浮揚姿勢を維持させながら、水Ｗを浸水孔２ｂから収容空間２ａに浸水させることによって、植物Ｐに水を供給して栽培することが可能である。
さらに、遮蔽部６が、貯水部５と装飾用容器の内面１１ａとの間に生じる隙間（隙間空間Ｓ）を塞ぎ得、植物Ｐの葉や花がら等が隙間空間Ｓに落下して装飾用容器１１内に溜まり掃除が不便になるのを防止し得ると共に、遮蔽部６に適当な装飾材１４を載置することによって、植栽装置１の見映えを良くすることもできる。以下に各構成部材についてその詳細を記載する。
【００１４】
（収容容器）
図２及び図３に示されるように、収容容器２は、その内部に植物栽培床材３を収容するための収容空間２ａを備えると共に、底部を有する有底の容器であり、さらに、その底部には、収容空間２ａへ水が浸水可能となる浸水孔２ｂを設けてあるとともに、植物栽培床材３を収容した状態で水中にて浮揚可能で、しかも、植物の成長にともなってその収容物の荷重が増加すると、水中への沈み具合が大きくなるように構成してある。
尚、収容容器２は、水中にて浮揚自在となるように構成してあれば如何なる形態でもよく、比重が水よりも小さい材料（例えば各種発泡樹脂材、木材、セラミック材等）で形成してあってもよく、中空構造にしてあってもよく、また、一体成形してあるものに限らず、例えば、浮き部材を装着することで水上に浮揚可能となるように構成してあっても勿論よい。また、本実施形態における収容容器２は、箱型形状を有しているが、その大きさや形状等は特に限定されず、収容物（植物Ｐと植物栽培床材３）が必要とする浮力や、以下に記載の植栽容器４の大きさや形状等を考慮して適宜選択すればよい。
【００１５】
（植物栽培床材）
植物栽培床材３は、植物Ｐを園芸栽培することができる固形培地であれば如何なるものでもよく、例えば、赤玉土、鹿沼土、軽石又は腐葉土等の通常の用土からなる培地は勿論のこと、バーミキュライト、又は、パーライト、又は、ウレタンやフェーノール等の各種発泡樹脂材、又は、ロックウール、又は、ハイドロボール等の人工培地から適宜選択して用いることができ、その形状も図に例示するブロック状のものに限らず、砂状や粒状や塊状等各種形状のものを適宜選択して用いることができる。砂状や粒状あるいは塊状等の形状の培地を用いる場合は、これらの培地が漏れ出さない網状の袋等に入れて用いることもできる。
また、植物栽培床材３としては、植物Ｐの根がその内部に侵入成長可能で、且つ、それ自体が弾性変形可能で、且つ、通気及び通水可能な、ブロック状に成形保持してあるものを用いる場合は、後述するように水に浸水させた状態で植物を栽培しても、根腐れ等が起こることなく、良好に植物を栽培することができる。このような例として、バーク及びピートにウレタンプレポリマーのようなバインダーを用いた多孔質で弾性を有する合成植物培土があげられる。
【００１６】
（植物）
植物Ｐは、植物栽培床材３中に根をはって生育することが可能な植物（各種の草、花木、観葉植物等）であれば良く、その形態（種、苗等）も特に限定されるものではない。
【００１７】
（植栽容器）
図２及び図３に示されるように、本実施形態における植栽容器４は、箱型形状を有しており、収容容器２を受けて植物栽培床材３に供給する水Ｗ（必要に応じて、適当な肥料等を含有させても良い）を貯水可能な貯水部５を備えている。
また、植栽容器４の周部には、貯水部５と装飾用容器の内面１１ａとの間の空間（隙間空間Ｓ）を装飾用容器１１の高さ方向に遮断可能な円形状（平面視）の遮蔽部６を配置してあり、植物Ｐの葉や花がら等が隙間空間Ｓに落下して装飾用容器１１内に溜まるのを防止することができる。尚、遮蔽部６は、貯水部５の底部５ａよりも高位置に配置してあり、この遮蔽部６に装飾材１４（例えば、ガーデニング用の木片チップ等）を載置することによって、植栽装置１の見映えを良くすることができる。
第１立上げ壁７は、遮蔽部６と貯水部５とを仕切るように、遮蔽部６の内側で全周にわたって遮蔽部６から立設しており、遮蔽部６に載置されている装飾材１４の貯水部５への落下を防止し得る。尚、第１立上げ壁７には、通水孔８が設けられており（通水孔８の形状や数については、必要に応じて任意に設定することができる）、貯水部５に水を補給する際、遮蔽部６に水を供給することによって、通水孔８を介して貯水部５に水を補給することができる。
第２立上げ壁９は、遮蔽部６の外周端部を全周にわたって取り囲むように遮蔽部６から立設しており、貯水部５に水を補給する際、遮蔽部６に供給された水が、遮蔽部６の外周からこぼれ落ちるのを防止することができる。
植栽容器４は、上述のように構成することのできる材料であれば、任意の材料（樹脂材、金属材、セラミック材等）を用いて製造することができる。
尚、本実施形態においては、植栽容器４を構成する貯水部５と遮蔽部６（第１立上げ壁７と第２立上げ壁９を含む）とを一体に構成してある。
【００１８】
（装飾用容器）
図１〜３に示されるように、装飾用容器１１は、植栽容器４を収容してその外側部を覆い得るように構成されており、その外周面に美的装飾が施されていても良い。尚、本実施形態において使用される装飾用容器１１は、使用済みのウイスキー樽を適当な大きさに切断して加工したものを使用しているが、これに限定されるものではなく、植栽容器４を収容してその外側部を覆う限りにおいては市販の鉢カバーを使用することも可能である。
【００１９】
尚、上記収容容器２、植栽容器４及び装飾用容器１１の形状については、上記形状に限定されるものではなく、本発明を構成し得る形状であるならば、任意の形状（例えば、平面視にて多角形や円形の形状を有する筒状体等）を採用することができる。また、遮蔽部６についても、上記の円形状に限定されるものではなく、本発明を構成し得る形状であるならば、任意の形状（例えば、平面視にて多角形の形状を有するものなど）を採用することができる。
【００２０】
次に、以上のように構成される本発明の植栽装置１の使用方法の一例について図３を参照しながら説明する。
（１）まず、装飾用容器１１内に植栽容器４を収容する。
（２）次いで、植物Ｐを植えた植物栽培床材３を収容容器２内に収容する。
（３）そして、植栽容器４の貯水部５内に水Ｗを貯留し、貯留した水Ｗ上に前記収容容器２を配置させる。
（４）最後に、植栽容器４の遮蔽部６上に適当な装飾材１４を敷設する。
図２に示すように、収容容器２内の収容物（本実施形態では、植物Ｐと植物栽培床材３）の荷重により、収容容器２は、水Ｗに対してある程度沈んだ状態で浮揚する。そして、水Ｗが、浸水孔２ｂを介して収容空間２ａ内に流入し、収容されている植物栽培床材３の一部が、流入してきた水Ｗにより浸漬される。その結果、その植物栽培床材３に植えられている植物Ｐに水が供給されることとなり、その生長が維持・促進され得る。
さらに、貯水部５と装飾用容器１１の内面１１ａとの間に生じる隙間（隙間空間Ｓ）が、植栽容器４の遮蔽部６により塞がれ、その遮蔽部６上に適当な装飾材１４を敷設することによって、その見映えを良くすることができる。
【００２１】
〔別実施形態〕
図４〜図８は、本発明の別実施形態を示しており、重複説明を避けるため、先の実施形態で説明した構成部材と同じ作用を有する構成部材については、同じ符号を付すことにより説明を省略し、主として先の実施形態と異なる構成について説明する。
図４は、植栽装置１（植物Ｐを栽培している状態）の側断面図であり、図５〜図８は、植栽容器４を示したものである。図４〜図８に示されるように、植栽容器４の遮蔽部６には、遮蔽部６に水を供給する際、第１立上げ壁７に設けられている通水孔８に水が導入され易いように、その外周部側ほど通水孔８の下方から立ち上がる傾斜が設けられている構成となっている。
さらに、植栽容器４の第２立上げ壁９には、通水孔８よりも高位置に、オーバーフロー孔１０が設けられており、貯水部５に過剰に水が補給されたとしても、水をオーバーフロー孔１０からオーバーフローさせることによって貯水部５の水位を一定に保つことができるように構成されている。尚、オーバーフロー孔１０は、遮蔽部６に供給された水が、オーバーフロー孔１０には流れず、通水孔８に流れるような構成であれば良い。また、オーバーフロー孔１０の孔の大きさは、通水孔８よりも小さい方が望ましく、オーバーフロー孔１０の設置数も、通水孔８の設置数より少ない方が望ましい。
また、装飾用容器１１の底部には、水を排水するための排水孔１２が設けられており、仮に、水がオーバーフローして装飾用容器１１内に流入したとしても、速やかに排水される。
【００２２】
〔その他の実施形態〕
１．収容容器は、上記実施形態のように必ずしも水に浮揚させながら植栽する構成に限定されるものではなく、収容容器として、市販の植木鉢やプランター等を使用して、それらを植栽容器に設置し（例えば、植木鉢やプランターを設置し得る適当な設置台を植栽容器に設ける）、不織布等からなる吸水部材の一端側部分を収容容器内の植物栽培床材に埋め込むと共に、その他端側部分を植栽容器の貯水部内の水に浸漬させ、吸水部材による水の吸い上げにより、自動的に植物栽培床材への給水を行うことができるように構成したものであっても良い。
２．植栽容器は、上記実施形態に限定されるものではなく、例えば、図９及び図１０に示されるように、遮蔽部と貯水部とをそれぞれ別体に設けて構成したものであっても良い。
図９（イ）に示される実施形態は、植栽容器４を、第１部材１５（遮蔽部６と第２立上げ壁９とを一体にしたもの）と、第２部材１６（貯水部５と第１立上げ壁７とを一体にしたもの）により構成したものであり、貯水部５の外周部には、遮蔽部６を載置可能な載置板１３が設けられている。使用する際は、図９（ロ）に示されるように、第１部材１５の開口部に、第１立上げ壁７を嵌め込み、遮蔽部６を載置板１３によって係止することによって組み立てることができる。
図１０（イ）に示される実施形態は、植栽容器４を、第１部材１５（遮蔽部６、第１立上げ壁７及び第２立上げ壁９を一体にしたもの）と、第２部材１６（貯水部５）により構成したものである。使用する際は、図１０（ロ）に示されるように、第１部材１５の下端部を貯水部５の開口部に嵌め込み、遮蔽部６を貯水部５の開口周縁部によって係止することによって組み立てることができる。
【図面の簡単な説明】
【００２３】
【図１】本発明の植栽装置の斜視図
【図２】本発明の植栽装置の側断面図
【図３】本発明の植栽装置の分解斜視図
【図４】本発明の植栽装置（別実施形態）の側断面図
【図５】本発明の植栽装置（別実施形態）における植栽容器の斜視図
【図６】本発明の植栽装置（別実施形態）における植栽容器の斜視図
【図７】図５の矢視線Ａ−Ａにおける植栽容器のせん断図
【図８】図５の矢視線Ｂ−Ｂにおける植栽容器のせん断図
【図９】本発明の植栽装置（その他の実施形態）における植栽容器の側断面の模式図
【図１０】本発明の植栽装置（その他の実施形態）における植栽容器の側断面の模式図
【符号の説明】
【００２４】
１  植栽装置
２  収容容器
２ａ  収容空間
２ｂ  浸水孔
３  植物栽培床材
４  植栽容器
５  貯水部
６  遮蔽部
７  第１立上げ壁
８  通水孔
９  第２立上げ壁
１０  オーバーフロー孔
１１  装飾用容器
１１ａ  装飾用容器の内面
１２  排水孔
１３  載置板
１４  装飾材
１５  第１部材
１６  第２部材
Ｐ  植物
Ｓ  隙間空間
Ｗ  水
【図１】
2008061533.tif 000003
【図２】
2008061533.tif 000004
【図３】
2008061533.tif 000005
【図４】
2008061533.tif 000006
【図５】
2008061533.tif 000007
【図６】
2008061533.tif 000008
【図７】
2008061533.tif 000009
【図８】
2008061533.tif 000010
【図９】
2008061533.tif 000011
【図１０】
2008061533.tif 000012